(57)【要約】【課題】ロックアームの係合不良や破損を防止して２物品の確実な組付けを実現するロック構造を提供する。【解決手段】一方の物品１１に他方の物品１２が外嵌して組付けられる２物品のロック構造であって、前記２物品のいずれか一方１２に形成されたロックアーム２０と、前記ロックアーム２０に係止される係止部１８を有して前記２物品の他方に形成されたアーム受け部１６と、を含み、前記ロックアーム２０は、前記一方の物品１１への前記他方の物品１２の組付けに伴い前記アーム受け部１６に当接して弾性変形し、前記係止部１８を乗り越えて当該係止部１８に係合するものであり、前記アーム受け部１６に、前記一方の物品１１の外壁面との間に前記ロックアーム２０の先端部を収容し、前記係止部１８に連なるガイド部２５が設けられている。【選択図】図１
2007250463.tif 000002
【特許請求の範囲】
【請求項１】
一方の物品に他方の物品が外嵌して組付けられる２物品のロック構造であって、
前記２物品のいずれか一方に形成されたロックアームと、前記ロックアームに係止される係止部を有して前記２物品の他方に形成されたアーム受け部と、を含み、
前記ロックアームは、前記一方の物品への前記他方の物品の組付けに伴い前記アーム受け部に当接して弾性変形し、前記係止部を乗り越えて当該係止部に係合するものであり、
前記アーム受け部に、前記一方の物品の外壁面との間に前記ロックアームの先端部を収容して前記係止部に連なるガイド部が設けられていることを特徴とするロック構造。
【発明の詳細な説明】
【技術分野】
【０００１】
本発明は、互いに組付けられる２物品のロック構造に関する。
【背景技術】
【０００２】
互いに組付けられる２物品の従来のロック構造として、コネクタハウジングのロック構造が知られている（例えば、特許文献１参照）。
【０００３】
図１１に示すように、特許文献１に開示されたコネクタ１００は、２つのコネクタハウジング１０１，１０２が上下に積み重ねられている。上側に配置されたコネクタハウジング１０１には下方に突出するロック爪１０３が形成され、下側に配置されたコネクタハウジング１０２には、ロック爪１０３と係合するロック爪１０４が形成されている。そして、コネクタハウジング１０２のロック爪１０４には上方に向けて突出する嵌合凸部１０５が形成されており、コネクタハウジング１０１には、嵌合凸部１０５が挿嵌される嵌合凹部１０６が形成されている。
【０００４】
両コネクタハウジング１０１，１０２は、ロック爪１０４を外方（図中、紙面に平行な矢印Ａ方向）に撓ませるようにして両ロック爪１０３，１０４を係合させ、互いに組付けられている。その際、嵌合凸部１０５を嵌合凹部１０６に挿嵌させることによりロック爪１０４の過度の撓みを防止するようにしている。
【０００５】
【特許文献１】特開２００１−２５０６２７号公報
【発明の開示】
【発明が解決しようとする課題】
【０００６】
ところで、近年のコネクタ小型化の要請により、コネクタの厚みなどの外形寸法は縮小される傾向にある。かかる状況において、特許文献１に開示されたコネクタでは、ロック爪１０３，１０４が薄く扁平なものとなることが考えられる。そして、薄くされたロック爪１０３，１０４は、その厚さ方向（図中、紙面に垂直な方向）に変形しやすくなり、所定の矢印Ａ方向とは異なる方向に変形することでロック爪１０３，１０４の係合不良や破損が生じる虞がある。
【０００７】
本発明は、上記の事情に鑑みてなされたものであり、その目的は、ロックアームの係合不良や破損を防止して２物品の確実な組付けを実現するロック構造を提供することにある。
【課題を解決するための手段】
【０００８】
上記の目的は、本発明に係る下記のロック構造により達成される。
【０００９】
一方の物品に他方の物品が外嵌して組付けられる２物品のロック構造であって、前記２物品のいずれか一方に形成されたロックアームと、前記ロックアームに係止される係止部を有して前記２物品の他方に形成されたアーム受け部と、を含み、前記ロックアームは、前記一方の物品への前記他方の物品の組付けに伴い前記アーム受け部に当接して弾性変形し、前記係止部を乗り越えて当該係止部を係止するものであり、前記アーム受け部に、前記一方の物品の外壁面との間に前記ロックアームの先端部を収容して前記係止部に連なるガイド部が設けられていることを特徴とするロック構造。
【発明の効果】
【００１０】
本発明に係るロック構造によれば、ロックアームは、２物品の組付けによりアーム受け部に当接して弾性変形し、それにより係止部を乗り越えて当該係止部を係止するものであるが、その弾性変形の際、他方の物品に外嵌される一方の物品の外壁面とアーム受け部のガイド部との間に先端部を収容される。よって、ロックアームは、一方の物品の外壁面から離反するような変形を規制され、常に一方の物品の外壁面に沿った変形を誘起される。これにより、ロックアームの無駄な変形を無くし、ロックアームの係合不良や破損を防止することができる。
【発明を実施するための最良の形態】
【００１１】
以下、図を参照して本発明に係るコネクタの好適な実施形態を説明する。
図１は本発明に係るロック構造の一実施形態が適用されたコネクタの外観斜視図、図２は図１に示すコネクタの断面図、図３は図１に示すコネクタのインナハウジングの外観斜視図、図４は図１に示すコネクタのアウタハウジングの外観斜視図、図５は図１に示すコネクタの仮固定状態における平面図、図６は図１に示すコネクタの仮固定状態から本固定状態へ移行する途中における平面図、図７は図１に示すコネクタの本固定状態における平面図である。
【００１２】
図１〜図４に示すように、本実施形態のコネクタ１０は、インナハウジング１１と、このインナハウジング１１に組付けられるアウタハウジング１２と、を備えている。
【００１３】
インナハウジング１１は断面略矩形の筒状をなす本体１５を有している。本体１５の内側には、２行２列に配列されて本体１５の軸方向に前後に伸びる４個の第１端子収容室２２ａが区画形成され、さらに、これら４個の第１端子収容室２２ａの左右両側に２個の第２端子収容室２２ｂが区画形成されている。第１端子収容室２２ａには第１端子１３が挿入され、第２端子収容室２２ｂには第２端子１４が挿入されている。
【００１４】
アウタハウジング１２は、インナハウジング１１の後方から、端子１３，１４の端子収容室２２ａ，２２ｂへの挿入方向に、インナハウジング１１に組付けられる。ここに、図１にはアウタハウジング１２がインナハウジング１１の後端部に仮固定された状態を示している。
【００１５】
インナハウジング１１の本体１５の上壁面には、本体１５の軸方向に前後に伸びる帯板状のアーム受け部１６が突出して形成されており、このアーム受け部１６の後端部には仮係止部１７が設けられ、また、アーム受け部１６の前端は本係止部１８とされている。
【００１６】
アウタハウジング１２は、インナハウジング１１の本体１５に外嵌する筒状に成形されたフード部１９を有しており、本体１５の上壁面に重なるフード部１９の上壁部には、フード部１９の軸方向に前端縁から後端縁まで伸びる受容溝２１と、受容溝２１に隣接してロックアーム２０を形成するように受容溝２１と平行に上壁部の前端縁から後方に伸びるスリット２９とが形成されている。
【００１７】
アウタハウジング１２は、インナハウジング１１の本体１５に設けられたアーム受け部１６の後端部をフード部１９の受容溝２１に受容して、ロックアーム２０をアーム受け部１６の仮係止部１７に係合させ、それによりインナハウジング１１の後端部に仮固定されている。
【００１８】
そして、インナハウジング１２は、アーム受け部１６をフード部１９の受容溝２１に受容しつつさらに前方に移動され、ロックアーム２０をアーム受け部１６の前端の本係止部１８に係合させ、それによりインナハウジング１１に本固定される。
【００１９】
尚、筒状のアウタハウジング１２の後端は底板により閉止されているが、底板の中央部には４個の第１端子挿通孔２３ａが穿設されており、また、これら４個の第１端子挿通孔２３ａの左右両側に２個の第２端子挿通孔２３ｂが穿設されている。アウタハウジング１２は、インナハウジング１１の第１端子収容室２２ａに収容された第１端子１３の基端部を第１端子挿通孔２３ａに挿通させ、インナハウジング１１の第２端子収容室２２ｂに収容された第２端子１４の基端部を第２端子挿通孔２３ｂに挿通させながら、上記の仮固定から本固定の位置へ移動される。
【００２０】
インナハウジング１１の本体１５の上壁面には、上記の通り、本体１５の軸方向に前後に伸びる帯板状のアーム受け部１６が突出して形成されており、このアーム受け部１６の後端部には仮係止部１７が設けられ、また、アーム受け部１６の前端は本係止部１８とされている。仮係止部１７は、アーム受け部１６の一側面に形成された凹部とされている。
【００２１】
アーム受け部１６の仮係止部１７と本係止部１８との間には、ガイド溝２５が設けられている。ガイド溝２５は、仮係止部１７が形成されたアーム受け部１６の一側面に、本体１５の上壁面に沿って刻設され、仮係止部１７から本係止部１８まで伸びている。
【００２２】
アーム受け部１６の一側面に刻設されたガイド溝２５の後端は、同じくアーム受け部１６の一側面に形成された凹部である仮係止部１７に開口している。ガイド溝２５の深さは仮係止部１７の深さに比べて浅く設定されており、ガイド溝２５の後端は段差をもって仮係止部１７に連通している。また、本係止部１８とガイド溝２５の前端との連接部２４も段差とされている。
【００２３】
ロックアーム２０の先端部には係止爪２７が側方に突出して形成されており、係止爪２７の前面２８は傾斜面とされている。
【００２４】
次に、図５〜図７を参照して、アウタハウジング１２の仮固定状態から本固定状態への移行について説明する。
【００２５】
図５に示すアウタハウジング１２の仮固定状態において、ロックアーム２０は、係止爪２７をアーム受け部１６の側方から仮係止部１７内に進入させ、これに係合させている。
【００２６】
インナハウジング１１のアーム受け部１６をフード部１９の受容溝２１に受容しつつアウタハウジング１２がさらに前方に移動されることにより、仮係止部１７内に配置された係止爪２７が、その傾斜された前面２８において仮係止部１７とガイド部２５との段差に当接し、それによりロックアーム２０は弾性変形する。
【００２７】
ロックアーム２０が弾性変形する際、ロックアーム２０の先端部に設けられた係止爪２７はインナハウジング１１の本体１５の上壁面に沿ったガイド溝２５に収容されており、換言すれば、インナハウジング１１の本体１５の上壁面とガイド溝２５が刻設されたアーム受け部１６の一側面の上縁に残る張り出し部分（ガイド部）との間に収容されており、よって、ロックアーム２０はインナハウジング１１の本体１５の上壁面から離反する撓みを規制されている。そこで、ロックアーム２０は、図６に示すように、インナハウジング１１の本体１５の上壁面に沿って撓むこととなる。
【００２８】
インナハウジング１１のアーム受け部１６をフード部１９の受容溝２１に受容しつつアウタハウジング１２がさらに前方に移動されることにより、ロックアーム２０の係止爪２７はガイド部２５の前端に達し、その傾斜された前面２８において連接部２４に当接する。ロックアーム２０は、本体１５の上壁面に沿ってさらに撓み、図７に示すように、連接部２４を乗り越えた係止爪２７を本係止部１８に係合させる。それにより、アウタハウジング１２はインナハウジング１１に本固定される。
【００２９】
以上説明したように、本実施形態に係るロック構造によれば、ロックアーム２０は、インナハウジング１１とアウタハウジング１２の組付けによりアーム受け部１６に当接して弾性変形し、それにより本係止部１８を乗り越えて当該本係止部１８を係止するものであるが、その弾性変形の際、アウタハウジング１２に外嵌されるインナハウジング１１の本体１５の上壁面とガイド溝２５が刻設されたアーム受け部１６の一側面の上縁に残る張り出し部分（ガイド部）との間に先端部の係止爪２７を収容される。よって、ロックアーム２０は、インナハウジング１１の本体１５の上壁面から離反するような変形を規制され、常にインナハウジング１１の本体１５の上壁面に沿った変形を誘起される。これにより、ロックアーム２０の無駄な変形を無くし、ロックアーム２０の係合不良や破損を防止することができる。
【００３０】
次に、図８を参照してコネクタ１０の第１変形例について説明する。
図８は図１のコネクタの第１変形例に係るインナハウジングの外観斜視図である。
【００３１】
第１変形例のコネクタでは、アーム受け部１６のガイド溝２５の前端がアーム受け部１６の前端の本係止部１８に開口している。かかる構成によれば、アウタハウジング１２の仮固定状態から本固定状態への移行において、ロックアーム２０の係止爪２７が本係止部１８に係合する直前まで係止爪２７がガイド溝２５に収容されることとなる。それにより、ロックアーム２０がインナハウジング１１の本体１５の上壁面から離反するように変形することを、より確実に規制することができる。
【００３２】
次に、図９を参照してコネクタ１０の第２変形例について説明する。
図９はコネクタの第２変形例に係るインナハウジングの外観斜視図である。
【００３３】
第２変形例のコネクタでは、本係止部１８´がガイド溝２５の前端部に凹設されている。かかる構成によれば、アウタハウジング１２の仮固定状態から本固定状態への移行において、ロックアーム２０の係止爪２７が本係止部１８´に係合する直前まで、係止爪２７がガイド溝２５に収容されることとなる。それにより、ロックアーム２０がインナハウジング１１の本体１５の上壁面から離反するように変形することをより確実に規制することができる。
【００３４】
次に、図１０を参照してコネクタ１０の第３変形例について説明する。
図１０はコネクタの第３変形例に係るインナハウジングの外観斜視図である。
【００３５】
第３変形例のコネクタでは、アーム受け部１６の前端の本係止部１８とガイド溝２５の前端との連接部２４において、ロックアーム２０の係止爪２７の前面２８と当接する後面２４ａが、係止爪２７の前面２８と略整合する傾斜面とされている。かかる構成によれば、係止爪２７が、その前面２８において連接部２４に当接し、この連接部２４を乗り越える際に、インナハウジング１１の本体１５の上壁面に沿ったロックアーム２０の撓みをより効果的に誘起させることができる。
【００３６】
なお、本発明は上述した各実施形態に限定されるものではなく、本発明の要旨を逸脱しない範囲において適宜変更可能である。
【００３７】
例えば、ロックアーム２０をアウタハウジング１２に替えてインナハウジング１１に形成し、アーム受け部１６をインナハウジング１１に替えてアウタハウジング１２に形成するようにしても良い。
【図面の簡単な説明】
【００３８】
【図１】本発明に係るロック構造の一実施形態が適用されたコネクタの外観斜視図である。
【図２】図１に示すコネクタの断面図である。
【図３】図１に示すコネクタのインナハウジングの外観斜視図である。
【図４】図１に示すコネクタのアウタハウジングの外観斜視図である。
【図５】図１に示すコネクタの仮固定状態における平面図である。
【図６】図１に示すコネクタの仮固定状態から本固定状態へ移行する途中における平面図である。
【図７】図１に示すコネクタの本固定状態における平面図である。
【図８】図１のコネクタの第１変形例に係るインナハウジングの外観斜視図である。
【図９】図１のコネクタの第２変形例に係るインナハウジングの外観斜視図である。
【図１０】図１のコネクタの第３変形例に係るインナハウジングの外観斜視図である。
【図１１】従来のコネクタハウジングのロック構造の平面図である。
【符号の説明】
【００３９】
１０    コネクタ
１１    インナハウジング
１２    アウタハウジング
１６    アーム受け部
１７    仮係止部
１８    本係止部
２０    ロックアーム
２５    ガイド溝
【図１】
2007250463.tif 000003
【図２】
2007250463.tif 000004
【図３】
2007250463.tif 000005
【図４】
2007250463.tif 000006
【図５】
2007250463.tif 000007
【図６】
2007250463.tif 000008
【図７】
2007250463.tif 000009
【図８】
2007250463.tif 000010
【図９】
2007250463.tif 000011
【図１０】
2007250463.tif 000012
【図１１】
2007250463.tif 000013